(57)【要約】【課題】  本発明は、パーソナルコンピュータ等における操作情報入力用として用いられる、独立した筐体を持ったキーボードに関し、高い操作性と高い収納性との双方を実現する。【解決手段】  スタンド１２Ｃが、キーボード本体部１１Ｃの左右両端に位置しそのキーボード本体部１１Ｃを立てた状態に支持する一対の脚部１２Ｃ＿ａと、一対の脚部１２Ｃ＿ａそれぞれの、軸支された一端１２Ｃ＿ｄとは反対側の他端１２Ｃ＿ｅどうしを結ぶ線分Ｌとの間に空間Ｓを形成して脚部１２Ｃ＿ａどうしを連結する連結部１２Ｃ＿ｂとを有する。【選択図】        図３
2009087069.tif 000002
【特許請求の範囲】
【請求項１】
配列された複数の操作子を上面に備え操作に応じた信号を出力するキーボード本体部と、
板形状を有し、前記キーボード本体部の背面に回動可能に一端が軸支されて該背面に重ねられた閉状態と該背面から所定角度開いた開状態との間で開閉し、開状態にあるときに前記キーボード本体部を立てた状態に支持するスタンドとを備え、
前記スタンドが、
前記キーボード本体部の左右両端に位置し該キーボード本体部を立てた状態に支持する一対の脚部と、
前記一対の脚部それぞれの、軸支された一端とは反対側の他端どうしを結ぶ線分との間に空間を形成して該脚部どうしを連結する連結部とを有することを特徴とするキーボード。
【請求項２】
前記スタンドが、少なくとも一方の脚部に、横かつ外方に突出したつまみ部を有し、
前記キーボード本体部が、前記スタンドが前記閉状態にあるときの前記つまみ部に指を掛けて前記開状態に向けて操作するための、指掛り凹部を有することを特徴とする請求項１記載のキーボード。
【請求項３】
前記スタンドが、前記閉状態および前記開状態の双方で、該スタンドに力を加えることにより外れる程度に前記キーボード本体部に係止されることを特徴とする請求項１又は２記載のキーボード。
【請求項４】
当該キーボードは、操作に応じた信号を、プログラムを実行するコンピュータ本体に向けて出力する、コンピュータ用のキーボードであることを特徴とする請求項１から３のうちいずれか１項記載のキーボード。
【発明の詳細な説明】
【技術分野】
【０００１】
本発明は、パーソナルコンピュータ（以下、ＰＣと略記する）等における操作情報入力用として用いられる、独立した筐体を有するキーボードに関する。
【背景技術】
【０００２】
ＰＣ等にはキーボードが多用され、そのキーボードには、本体とは独立した筐体を有し、本体とはケーブルで接続され、あるいは本体との間で無線で通信されるタイプのキーボードも多数存在する。
【０００３】
このようなキーボードを机の上に置いて操作する場合、前方にディスプレイを置き、その手前にキーボードが置かれる。キーボード操作が不要のとき、あるいは机上で別の仕事等を行なうときはキーボードをそこに置いたままではそのキーボードが邪魔になるため、キーボードを片付ける必要がある。このような観点から、キーボードを立置きに自立させるためのスタンドを備えたキーボードが登場している。
【０００４】
図１は、従来の自立キーボードの一例を示す模式図である。図１（Ａ）は側面図、図１（Ｂ）は背面図である。
【０００５】
このキーボード１０Ａには、キーボード本体部１１Ａの背面に左右に独立したスタンド１２Ａが備えられており、したがってこのキーボード１０Ａを自立させるには、左右のスタンド１２Ａを１つずつ開く操作が必要であり、また立てておいたキーボード１０Ａを使用するためには左右のスタンド１２Ａを１つずつ閉じる操作が必要である。すなわち、スタンド開閉に２アクション必要であって開閉操作が煩らわしいという問題がある。
【０００６】
図２は、従来の自立キーボードの他の例を示す模式図である。図１と同様、図２（Ａ）は側面図、図２（Ｂ）は背面図である。
【０００７】
このキーボード１０Ｂには、キーボード本体部１１Ｂの背面に一枚の板形状のスタンド１２Ｂが備えられている。このスタンド１２Ｂは、図１に示す２つのスタンド１２Ａに相当する部分が連結部１２Ｂ＿ａで互いに接続された形状を有する。
【０００８】
このスタンド１２Ｂは、この連結部１２Ｂ＿ａを有することからこのスタンド１２Ｂを開閉させるのに１回のアクションで済み、図１に示すキーボード１０Ａと比べ操作性が向上している。
【０００９】
しかしながら、机上には、例えば台座を備えたディスプレイ（図示せず）なども置かれており、キーボード１０Ｂのスタンド１２Ｂの連結部１２Ｂ＿ａがそのディスプレイの台座等に干渉するためディスプレイ等の直ぐそばには片付けにくいという問題がある。
【００１０】
特許文献１には、キーボードを立てる目的のものではなく、キーボードを適当に傾斜させて操作性の向上を図るためのものではあるが、左右それぞれについて高さ調整を行なう機構が開示されている。
【００１１】
この特許文献１は、目的は異なるが、左右それぞれについて調整しなければならないという煩らわしさを含んでいる。
【特許文献１】特開平５−２５００６７号公報
【発明の開示】
【発明が解決しようとする課題】
【００１２】
本発明は、上記の事情に鑑み、高い操作性と高い収納性との双方を実現したキーボードを提供することを目的とする。
【課題を解決するための手段】
【００１３】
上記目的を達成する本発明のキーボードは、
配列された複数の操作子を上面に備え操作に応じた信号を出力するキーボード本体部と、
板形状を有し、キーボード本体部の背面に回動可能に一端が軸支されてその背面に重ねられた閉状態とその背面から所定角度開いた開状態との間で開閉し、開状態にあるときにキーボード本体部を立てた状態に支持するスタンドとを備え、
上記スタンドが、
キーボード本体部の左右両端に位置しキーボード本体部を立てた状態に支持する一対の脚部と、
上記一対の脚部それぞれの、軸支された一端とは反対側の他端どうしを結ぶ線分との間に空間を形成して脚部どうしを連結する連結部とを有することを特徴とする。
【００１４】
本発明のキーボードは、一対の脚部と連結部とからなる、全体が板状に形成されたスタンドであって、連結部は上記の空間を形成して脚部どうしを連結しているため、ディスプレイの台座等との干渉を避けることができ、高い収納性を有する。また、一対の脚部が連結部で連結されていることから、スタンドの開閉は１アクションで済み、高い操作性も合わせ持っている。
【００１５】
ここで、本発明のキーボードにおいて、上記スタンドが、少なくとも一方の脚部に、横かつ外方に突出したつまみ部を有し、上記キーボード本体部が、上記スタンドが閉状態にあるときの上記つまみ部に指を掛けて開状態に向けて操作するための、指掛り凹部を有することが好ましい。
【００１６】
この構成の場合、指掛り凹部とつまみ部を利用してスタンドを容易に開くことができ、操作性が更に向上する。
【００１７】
また、本発明のキーボードにおいて、上記スタンドが、閉状態および開状態の双方で、そのスタンドに力を加えることにより外れる程度にキーボード本体部に係止されることが好ましい。
【００１８】
このように開状態と閉状態との双方にクリックを有する構造とすることにより、開状態にあるときはその開状態が維持され、閉状態にあるときはその閉状態が維持され、かつ開閉のための操作で力を加えると開閉し、操作性がさらに向上する。
【００１９】
本発明は、典型的には、操作に応じた信号をプログラムを実行するコンピュータ本体に向けて出力する、コンピュータ用のキーボードに好適に適用される。
【発明の効果】
【００２０】
以上の本発明によれば、高い操作性と高い収納性の双方を兼ね備えたキーボードを提供することができる。
【発明を実施するための最良の形態】
【００２１】
以下、本発明の実施形態について説明する。
【００２２】
図３は、本発明の第１実施形態のキーボードを示す模式図である。図３（Ａ）は側面図、図３（Ｂ）は背面図である。
【００２３】
この図３に示す第１実施形態のキーボード１０Ｃは、キーボード本体部１１Ｃとスタンド１１Ｄとで構成されている。
【００２４】
キーボード本体部１１Ｃには、ここには背面が示されているため図示されていないが、図３（Ｃ）に示す背面に対する裏面、すなわち、使用状態における上面（図３（Ａ）の面１３Ｃ＿ａ）に、配列された複数の操作子が備えられており、それらの操作子を操作するとその操作に応じた信号が出力され、図示しないＰＣ本体に伝えられる。
【００２５】
また、スタンド１２Ｃは、全体が一枚の板形状を有しており、キーボード本体部１１Ｃの背面に回動可能に一端（図３では上端）１２Ｃ＿ｄが軸支され、キーボード本体部１１Ｃの背面に重ねられた閉状態とその背面から所定角度（図３（Ａ）に示す角度θ）だけ開いた開状態との間で開閉し、開状態にあるときにキーボード本体部１１Ｃを立てた状態に支持するものである。
【００２６】
さらに、このスタンド１２Ｃは、キーボード本体部１１Ｃの左右両端に位置しキーボード本体部１１Ｃを立てた状態に支持する一対の脚部１２Ｃ＿ａと、それらの脚部１２Ｃ＿ａどうしを連結する連結部１２Ｃ＿ｂとを有する。その連結部１２Ｃ＿ｂは、一対の脚部１２Ｃ＿ａのそれぞれの、軸支された一端１２Ｃ＿ｄとは反対側の他端（図３では下端）１２Ｃ＿ｅどうしを結ぶ線分Ｌとの間に空間Ｓを形成して脚部１２Ｃ＿ａどうしを連結している。
【００２７】
図４は、図３に示すキーボード１１Ｃを立てた状態でディスプレイ（モニタ）の近傍に配置した状態を示す図である。
【００２８】
ディスプレイ２０は、台座２１を備え、その台座２１上に立設した状態で支持されている。この台座２１は、通常は、キーボード１１Ｃと同じ幅までは広がっておらず、通常はもっと幅の狭い台座である。一方、キーボード１０Ｃのスタンド１２Ｃには、図３（Ｂ）に示す空間Ｓが形成されているため、キーボード１０Ｃのスタンド１２Ｃは台座２１とは干渉せずに、キーボード１０Ｃをディスプレイ２０の近傍に近づけることができ、収納性が向上して机上に広いスペースを確保することができる。
【００２９】
図５は、本発明の第２実施形態のキーボードを示す模式図である。図３と同様、図５（Ａ）は側面図、図５（Ｂ）は背面図である。
【００３０】
図３に示す第１実施形態のキーボード１０Ｃとの相違点について説明する。
【００３１】
この図５に示す第２実施形態のキーボード１０Ｄはスタンドの形状のみ、図３に示す第１実施形態のキーボード１０Ｃと異なる。
【００３２】
この図５に示すキーボード１０Ｄのスタンド１２Ｄは、全体として一枚の板形状に形成されており、一対の脚部１２Ｄ＿ａとそれらの脚部１２Ｄ＿ａどうしを結ぶ連結部１２Ｄ＿ｂとからなる。
【００３３】
この連結部１２Ｄ＿ｂの上端は、脚部１２Ｄ＿ａの、キーボード本体部１２Ｃの背面に軸支された一端（図５では上端）１２Ｄ＿ｄをそのまま延長した位置にあり、連結部１２Ｄ＿ｂの下端は、図５（Ｂ）に示すようなアーチ状に形成されて、脚部１２Ｄ＿ａの他端（図５では下端）どうしを結ぶ線分Ｌとの間に空間Ｓを形成している。
【００３４】
この図５に示す第２実施形態の場合も、空間Ｓが形成されていることから、図４に示すような、ディスプレイ２０の台座２１との干渉を避け、ディスプレイ２０の直ぐ傍に立てておくことができる。
【００３５】
次に、本発明の、さらに詳細な第３実施形態について説明する。
【００３６】
図６は、本発明の第３実施形態のキーボードの使用状態の上面を示した斜視図、図７は、図６に示すキーボードの、立設させた状態の上面を示した斜視図、図８は、図４と同じ立設させた状態の、背面を示した斜視図である。
【００３７】
このキーボード１０の本体部１１の上面には、多数の操作キー１１１が配列されており、このキーボード１０の操作キー１１１を操作すると、その操作に応じた信号がケーブル１１２を経由して図示しないＰＣ本体に伝えられる。また、このキーボード本体部１１には、図６に示すように、立てたときの滑り止め用の弾性材１１３が固定されている。
【００３８】
また、図８に示すように、このキーボード本体部１１の背面には、全体として一枚の板状に形成されたスタンド１２が備えられている。このスタンド１２はキーボード本体部１１の背面に回動可能に一端（図８の上端）１２１ａが軸支されてその背面に重ねられた閉状態とその背面から所定角度（図８に示す角度θ）だけ開いた開状態との間で開閉し、開状態にあるときにキーボード本体部１１を立てた状態に支持するものであり、キーボード本体部１１の左右両端に位置しキーボード本体部１１を立てた状態に支持する一対の脚部１２１と、それらの脚部１２１どうしを連結する連結部１２２とを有する。この連結部１２２は、それら一対の脚部１２１それぞれの、軸支された一端１２１ａとは反対側の他端どうしを結ぶ線分Ｌとの間に空間Ｓを形成して脚部１２１どうしを連結している。
【００３９】
また、これらの一対の脚部１２１には、外方に突出したつまみ部１２１ｃが形成されている。このつまみ部１２１ｃに関しての詳細は後述する。
【００４０】
脚部１２１の、回動自在に軸支された一端１２１には、２本のスリット１２１ｄが形成されており、キーボード本体部１１の外枠１１５と立設部１１６との間に、それらのスリット１２１ｄの間隔が挟まるように弾性変形させた状態で配置されている。
【００４１】
図９，図１０は、スタンドが開状態にあるときの、一方の脚部１２１の、軸支された一端１２１ａを、それぞれ異なる角度から見て示す拡大図である。尚、もう一方の脚部についても、左右逆に構成されている点を除き、同様である。
【００４２】
ここには、２本のスリット１２１ｄが形成されることにより３本の棒状体１２１ａ＿１，１２１ａ＿２，１２１ａ＿３が形成されている。それら３本の棒状体１２１ａ＿１，１２１ａ＿２，１２１ａ＿３のうちの両側の２本の棒状体１２１ａ＿１，１２１ａ＿３は、キーボード本体部１１に設けられ外枠１１５と立設部１１６とに挟まれ、スリット１２１ｄの幅が狭められるように弾性的に変形した状態で配置されている。また、それら３本の棒状体１２１ａ＿１，１２１ａ＿２，１２１ａ＿３のうちの一本の棒状体１２１ａ＿１には、突起１２１１（図１１参照）が形成され、その突起が、キーボード本体部１１５の立設部１１６に設けられた穴（図示せず）に嵌入して、スタンド１２の回動軸を形成している。また、３本の棒状体１２１ａ＿１，１２１ａ＿２，１２１ａ＿３のうちの棒状体１２１ａ＿３には２つの突起（図示せず）が形成され、それら２つの突起のうちの１つはキーボード本体部１１の外枠１１５に形成された２つのスリット１１５ａ，１１５ｂのうちの一方のスリット１１５ａに嵌入していて回動軸を形成し、もう１つの突起は、スタンド１２が開状態にあるときはもう一方のスリット１１５ｂに嵌入し、閉状態にあるときは図１０に示す、キーボード本体部１１の外枠１１５に設けられた穴１１５ｃに嵌入する。スリット１１５ｂと穴１１５ｃとの間には壁部１１５ｄが形成されており、棒状体１２１ａ＿３に形成された突起はスタンド１２の開閉に伴ってその壁部１１５ｄを乗り越える。スタンド１２が閉状態にあるときは、棒状体１２１ａ＿３に形成された突起が穴１１５ｃに入り込んだ状態で安定し、また開状態では、棒状体１２１ａ＿３に形成された突起が壁部１１５ｄを乗り越えてスリット１１５ｂに入り込んだ状態でスタンド１２の上端縁１２１ｅ（図９参照）がキーボード本体部１１の背面に当接してスタンド１２が図８に示す角度θ以上に開くことが阻止される。このため、このスタンド１２は、開状態と閉状態との双方で安定し、少し力を加えることにより閉状態と開状態との間で遷移する。
【００４３】
図１２は、スタンド１２が閉状態にあるときの、一方の脚部を斜めから見て示した部分斜視図、図１３は、スタンド１２が開状態にあるときの一方の脚部を斜めから見て示した部分斜視図である。尚、もう一方の脚部についても左右が逆になっている点を除き同様である。
【００４４】
前述したとおり、脚部１２１にはつまみ部１２１ｃが形成されており、このつまみ部１２１ｃは、スタンド１２が閉状態にあるとき、キーボード本体部１１の外枠１１５に形成された切欠部１１５ａに入り込んでいる。その閉状態にあるときの、つまみ部１２１ｃの裏側（キーボード本体側）には、そのつまみ部１２１ｃに指を掛けるための指掛り凹部１１７が形成されている。このため、閉状態にあるスタンド１２のつまみ部１２１に容易に指を掛けることができ、そのつまみ部１２１を開方向に動かすことによりスタンド１２を容易に開状態に開くことができる。
【図面の簡単な説明】
【００４５】
【図１】従来の自立キーボードの一例を示す模式図である。
【図２】従来の自立キーボードの他の例を示す模式図である。
【図３】本発明の第１実施形態のキーボードを示す模式図である。
【図４】図３に示すキーボードを立てた状態でディスプレイ（モニタ）の近傍に配置した状態を示す図である。
【図５】本発明の第２実施形態のキーボードを示す模式図である。
【図６】本発明の第３実施形態のキーボードの使用状態の上面を示した斜視図である。
【図７】図６に示すキーボードの、立設させた状態の上面を示した斜視図である。
【図８】図４と同じ立設させた状態の、背面を示した斜視図である。
【図９】スタンドが開状態にあるときの、一方の脚部の軸支された一端を示す拡大図である。
【図１０】スタンドが開状態にあるときの、一方の脚部の軸支された一端を、図９とは角度から見て示す拡大図である。
【図１１】スタンドが閉状態にあるときのキーボード背面の、一方の脚部の部分を示した平面図である。
【図１２】スタンドが閉状態にあるときの、一方の脚部を斜めから見て示した部分斜視図である。
【図１３】スタンドが開状態にあるときの一方の脚部を斜めから見て示した部分斜視図である。
【符号の説明】
【００４６】
１０Ａ，１０Ｂ，１０Ｃ，１０Ｄ    キーボード
１１Ａ，１１Ｂ，１１Ｃ，１１Ｄ    キーボード本体部
１２Ａ，１２Ｂ，１２Ｃ，１２Ｄ    スタンド
１２Ｂ＿ａ    連結部
１２Ｃ＿ａ，１２Ｄ＿ａ，１２１    脚部
１２Ｃ＿ｂ，１２Ｄ＿ｂ，１２２    連結部
１２Ｃ＿ｄ    一端（図３では上端）
１２Ｃ＿ｅ    他端（図３では下端）
２０    ディスプレイ
２１    台座
１１１    操作キー
１２１ｄ，１１５ａ，１１５ｂ    スリット
１１２    ケーブル
１１３    弾性材
１１５    外枠
１１５ｃ    穴
１１５ｄ    壁部
１１６    立設部
１１７    凹部
１２１ａ＿１，１２１ａ＿２，１２１ａ＿３    棒状体
１２１ｃ    つまみ部
１２１１    突起
【図１】
2009087069.tif 000003
【図２】
2009087069.tif 000004
【図３】
2009087069.tif 000005
【図４】
2009087069.tif 000006
【図５】
2009087069.tif 000007
【図６】
2009087069.tif 000008
【図７】
2009087069.tif 000009
【図８】
2009087069.tif 000010
【図９】
2009087069.tif 000011
【図１０】
2009087069.tif 000012
【図１１】
2009087069.tif 000013
【図１２】
2009087069.tif 000014
【図１３】
2009087069.tif 000015